(57)【要約】【課題】ガスメータが備える電子制御部への虫の侵入を簡単な構成で確実に防止できるようにする。【解決手段】ガスメータには、内部の電子制御部に接続させる接続ケーブルを導入するための接続ケーブル導入穴２が備えられる。そしてゴムパッキン１は、接続ケーブル導入穴２に接続ケーブル３が導入された状態で、接続ケーブル導入穴２を封止する接続ケーブル導入穴封止部５と、接続ケーブル導入穴２から引き出された接続ケーブル３の一部を収納する接続ケーブル収納部６とを備える。またゴムパッキン１は、接続ケーブル導入穴２の近傍に突設されたピン４に係合してゴムパッキン１を保持するためのピン保持部を有している。【選択図】図２
2008267932.tif 000002
【特許請求の範囲】
【請求項１】
内部の電子制御部に接続させる接続ケーブルを導入するための接続ケーブル導入穴が備えられたガスメータの防虫構造であって、
前記接続ケーブル導入穴に対してゴムパッキンが配設されていることを特徴とする防虫構造。
【請求項２】
請求項１に記載の防虫構造において、前記ゴムパッキンは、前記接続ケーブル導入穴に前記接続ケーブルが導入された状態で、前記接続ケーブル導入穴を封止する接続ケーブル導入穴封止部と、前記接続ケーブル導入穴から引き出された前記接続ケーブルの一部を収納する接続ケーブル収納部とを備えることを特徴とする防虫構造。
【請求項３】
前記ゴムパッキンは、前記接続ケーブル導入穴の近傍に突設されたピンに係合して該ゴムパッキンを保持するためのピン保持部を有することを特徴とする防虫構造。
【請求項４】
請求項１〜３のいずれか１に記載の防虫構造を備えたことを特徴とするガスメータ。
【発明の詳細な説明】
【技術分野】
【０００１】
本発明は、防虫構造及び該防虫構造を備えたガスメータに関し、より詳細には、屋外に設置するガスメータの電子制御部への虫の侵入を防ぐ防虫構造と、その防虫構造を備えたガスメータとに関する。
【背景技術】
【０００２】
屋外に設置されるガスメータは、その殆どが電子制御部を搭載しており、電子制御部を保護するために防虫構造が施されている。電子制御部を保護するだけが目的であれば、電子制御部が収納されているケース部にゴム等の弾性部材を装着することで、電子制御部に対する虫の侵入を防止することができる。
しかしながら通常は、外部機器と電子制御部とを接続したり、ガスメータ内部で部品等と電子制御部とを接続したりするために、接続ケーブルが使用されている。電子制御部に接続ケーブルを導入するケーブル導入部に対しては、別の方法で防虫対策を施す必要がある。
【０００３】
電子機器筐体内に接続ケーブルを導入するケーブル導入部の防水、防虫構造を開示する先行技術として、例えば特許文献１がある。
特許文献１の防水、防虫構造においては、複数の接続ケーブルの各々に対し、単独で防水、防虫構造を付与している。そして使用していない接続ケーブル導入部は、別部材で封止している。また特許文献１の他の構造として、ゴムの薄膜にスリットを設けて、その薄膜により複数の接続ケーブルに対して同時に防虫処理を施しているものがある。
【発明の開示】
【発明が解決しようとする課題】
【０００４】
電子制御部等に接続ケーブルを導入するケーブル導入部の防虫構造に関し、上記特許文献１のように、各々の接続ケーブル毎に複数箇所で防虫対策を施したものがあるが、このような構成では省スペース化を阻害し、また組み立て工数が増大するなどの問題が発生して好ましくない。またスリットを設けた薄膜により複数本の接続ケーブルに対して同時に防虫対策を施す場合でも、スリットと接続ケーブルの隙間から虫が侵入する場合があり、十分とはいえない。
【０００５】
本発明は、上述のごとき実情に鑑みてなされたもので、ガスメータが備える電子制御部への虫の侵入を簡単な構成で確実に防止できるようにした防虫構造と、その防虫構造を備えたガスメータとを提供することを目的とするものである。
【課題を解決するための手段】
【０００６】
請求項１の発明は、内部の電子制御部に接続させる接続ケーブルを導入するための接続ケーブル導入穴が備えられたガスメータの防虫構造であって、接続ケーブル導入穴に対してゴムパッキンが配設されていることを特徴としたものである。
【０００７】
請求項２の発明は、請求項１の発明において、ゴムパッキンは、接続ケーブル導入穴に接続ケーブルが導入された状態で、接続ケーブル導入穴を封止する接続ケーブル導入穴封止部と、接続ケーブル導入穴から引き出された接続ケーブルの一部を収納する接続ケーブル収納部とを備えることを特徴としたものである。
【０００８】
請求項３の発明は、ゴムパッキンは、接続ケーブル導入穴の近傍に突設されたピンに係合してゴムパッキンを保持するためのピン保持部を有することを特徴としたものである。
【０００９】
請求項４の発明は、請求項１〜３のいずれかの発明である防虫構造を備えたことを特徴とするガスメータである。
【発明の効果】
【００１０】
本発明によれば、ガスメータが備える電子制御部への虫の侵入を簡単な構成で確実に防止できるようにした防虫構造と、その防虫構造を備えたガスメータとを提供することができる。
そして本発明によれば、複数の接続ケーブルを個々に封止するのではなく、複数の接続ケーブルがコネクタに接続されていても、接続ケーブルを電子制御部側に導入するための接続ケーブル導入穴と複数の接続ケーブルとの隙間をゴムパッキンによって同時に封止することできる。
【００１１】
さらに本発明によれば、ゴムパッキンが、接続ケーブルが導入された状態で接続ケーブル導入穴を封止する接続ケーブル導入穴封止部と、接続ケーブル導入穴から引き出された接続ケーブルの一部を収納するための接続ケーブル収納部とを備えているため、接続ケーブル導入穴にゴムパッキンを装着することで、ゴムパッキンが接続ケーブル導入穴と接続ケーブルに密着し、間隙が生じることなく確実に虫の侵入を防ぐことができる。
【００１２】
さらに本発明によれば、接続ケーブル導入穴の近傍に設けられたピンとゴムパッキンのピン保持部とが係合する構成により、接続ケーブルの弾性によってゴムパッキンが押し上げられたり押し広げられたりすることなく、ゴムパッキンの装着部に隙間が発生することを防止して確実に虫の侵入を防ぐことができる。
【発明を実施するための最良の形態】
【００１３】
図１は、本発明による防虫構造を備えたガスメータの構成例を説明するための分解斜視概略図で、図中、１０はガスメータ、１１はガスメータ本体、１２はスペーサ、１３は表示部ケース、１４は電子ユニットケース、１５はカウンタケース、１６はコネクタ挿入部である。
ガスメータ１０には、各種所定の機能を実行する電子制御部が内蔵されている。そしてガスメータ１０と外部機器とを接続したり、またガスメータ１０の内部で電子制御部と他の回路や部品類とを接続したりするために、複数の接続ケーブルが使用される。
【００１４】
この場合に電子制御部を保護するために、接続ケーブルが電子制御部に向けて導入される部分を封止する必要が生じる。特にガスメータは一般に屋外に設置されるため、電子制御部に対して防虫構造を付与する必要がある。電子制御部との接続に関しては、ガスメータのコネクタ挿入部１６から接続ケーブルのコネクタが挿入され、その接続ケーブルをゴムで包み込んで、その上からパッキン付きの部材でゴムを押さえることにより、防水・防虫構造を実現している。
【００１５】
本発明に係わる実施形態では、ガスメータ１０の内部で電子制御部と他の回路や部品類とを接続したりするための接続ケーブルの導入部に、電子制御部への虫の侵入を簡単な構成で確実に防止できるようにした防虫構造を付与したことを特徴としている。
【００１６】
例えば図１に示すガスメータでは、表示部ケース１３の後方の筐体に、ガス流量を検知するための流量センサや、ガス圧力を検知するための圧力センサ、あるいはガスの異常検出時やユーザによる遮断操作時にガスの流れを遮断させるための遮断弁などの部品が取り付けられている。そしてこれらの部品に接続された接続ケーブル３は、表示部ケース１３の後方から、スペーサ１２に設けられた接続ケーブル導入穴２を通してスペーサ１２の前面側に引き出される。そして引き出された接続ケーブル３は、電子ユニットケース１４に内蔵されている電子制御部にコネクタで接続される。
【００１７】
電子ユニットケース１４に内蔵されている電子制御部は、上記の３つの部品（流量センサ、圧力センサ、遮断弁）の信号を監視し、これら各部品の動作を制御する機能を備えている。例えば遮断弁の開閉を制御する機能、流量センサによる流量信号を監視する機能、圧力センサによる圧力検知信号を監視する機能などを備えている。
またこの他、電子ユニットケース１４に内蔵されている電子制御部には、遮断弁開閉状態や異常情報を表示させる表示機能、外部機器との間でデータを送受信する機能、ガス警報器の信号を監視する機能、地震を検知する機能、あるいは遮断弁を開閉動作させるためのスイッチ機能などが備えられている。
【００１８】
上記のような構成により、電子ユニットケース１４に内蔵される電子制御部と、表示部ケース１３の後方の筐体内に取り付けられた部品類（流量センサ、圧力センサ、遮断弁）とを接続ケーブルで接続しなければならない。このときにスペーサ１２に設けられたケーブル導入穴２に接続ケーブルを導入することにより、電子制御部と部品類とを接続ケーブルで接続している。
【００１９】
上述のように、ガスメータ１０と外部機器とを接続したり、またガスメータ１０の内部で電子制御部と他の回路や部品類とを接続したりするために、複数の接続ケーブルが使用される。このときに電子制御部を保護する防虫構造を実現するために、接続ケーブルの導入部を封止する必要がある。
本発明に係わる実施形態では、複数の接続ケーブルを個々に封止するのではなく、複数の接続ケーブルがコネクタに接続されていても、接続ケーブルを電子制御部側に導入するための接続ケーブル導入穴と複数の接続ケーブルとの隙間をゴムパッキンによって同時に封止できるようにしている。
【００２０】
図２は、図１に示す接続ケーブル導入穴に取り付けるゴムパッキンを示す要部分解斜視図で、図３は、図２に示すゴムパッキンを斜め下方から見た斜視図である。各図において、１はゴムパッキン、２は接続ケーブル導入穴、３は接続ケーブル、４はピン、５は接続ケーブル導入穴封止部、６は接続ケーブル収納部、７はピン保持部である。
【００２１】
図１で説明したように、スペーサ１２に設けられている接続ケーブル導入穴２を通して、表示部ケースの後方の筐体に取り付けられた部品に接続された接続ケーブル３がスペーサ１２の前面側に引き出される。このとき製造時の作業性を良くするために、接続ケーブル３には予めコネクタが接続されている。このため、接続ケーブル導入穴２は、接続ケーブル３のコネクタが通過できるだけの大きさで形成されている。
【００２２】
このときに、電子ユニットケース１４内の電子制御部に対する防虫構造を提供するために、接続ケーブル導入穴２にゴムパッキン１を取り付ける。
ゴムパッキン１には図示するように、接続ケーブル導入穴２に差し込んでその開口を封止するための接続ケーブル導入穴封止部５が設けられる。接続ケーブル導入穴封止部５は、接続ケーブル導入穴２の全ての領域を封止するものではなく、接続ケーブル導入穴２の一部に、接続ケーブル３が通過できる領域が残るような大きさと形状で形成され、かつ接続ケーブル３とゴムパッキン１との間に間隙が生じないような形状で形成されている。これにより、接続ケーブル導入穴封止部５は、接続ケーブル導入穴２に接続ケーブル３が導入された状態で、接続ケーブル導入穴２を封止することができる。
【００２３】
ゴムパッキン１の接続ケーブル導入穴封止部５の側方には、接続ケーブル３を収納するための接続ケーブル収納部６が設けられている。接続ケーブル収納部６は、接続ケーブル導入穴２から引き出された接続ケーブル３の一部を収納し、ゴムパッキン１の側面の開口から接続ケーブル３が導出できるようになっている。そして接続ケーブル導入穴２にゴムパッキン１を装着すると、ゴムパッキン１は、接続ケーブル導入穴２と接続ケーブル３とに密着するので、間隙が生じることなく虫の侵入を防ぐことができる。
【００２４】
またスペーサ１２の接続ケーブル導入穴２の近傍にはピン４が突設されていて、ゴムパッキン１に設けられているピン保持部７に係合する。ピン保持部７は、円筒形状の非貫通孔であり、その非貫通孔の内部にピン４が差し込まれることでゴムパッキン１が保持されるようになっている。このようなピン４とピン保持部７とが係合する構成により、接続ケーブル３の弾性によってゴムパッキン１が押し上げられたり押し広げられたりすることなく、ゴムパッキン１が装着された接続ケーブル導入穴２に隙間が発生しないようになっている。
【００２５】
上記のような形状のゴムパッキン１を使用して接続ケーブル導入穴２を封止する場合、接続ケーブル導入穴２に接続ケーブル３を通した状態で、ゴムパッキン１の接続ケーブル導入穴封止部５をケーブル導入穴２に差し込む。そして同時に、ゴムパッキン１のピン保持部７にピン４を差し込むようにする。そしてゴムパッキンの接続ケーブル収納部６に接続ケーブル３を収納し、ゴムパッキン１の側面の開口から接続ケーブル３を引き出す。
【００２６】
このようにして、ゴムパッキン１を接続ケーブル導入穴２に装着することにより、接続ケーブル導入穴２から引き出された接続ケーブル３は、ゴムパッキン１により収納されて引き出される状態となり、接続ケーブル３とゴムパッキン１との間に間隙がなくなって、外部からの虫の侵入を防ぐことができる。
【図面の簡単な説明】
【００２７】
【図１】本発明による防虫構造を備えたガスメータの構成例を説明するための分解斜視概略図である。
【図２】図１に示す接続ケーブル導入穴に取り付けるゴムパッキンを示す要部分解斜視図である。
【図３】図２に示すゴムパッキンを斜め下方から見た斜視図である。
【符号の説明】
【００２８】
１…ゴムパッキン、２…接続ケーブル導入穴、３…接続ケーブル、４…ピン、５…接続ケーブル導入穴封止部、６…接続ケーブル収納部、７…ピン保持部、１０…ガスメータ、１１…ガスメータ本体、１２…スペーサ、１３…表示部ケース、１４…電子ユニットケース、１５…カウンタケース、１６…コネクタ挿入部。
【図１】
2008267932.tif 000003
【図２】
2008267932.tif 000004
【図３】
2008267932.tif 000005